(57)【要約】【課題】医用通信プロトコルに従った通信やサービス制御を行う際に、通信やサービス制御に必要な情報設定を人手を要さずに短時間で正確に実行できるようにした医用診断装置を提供する。【解決手段】超音波診断装置１００において、病院ネットワーク１４０を介してＨＩＳ／ＲＩＳサーバ１１０、ＰＡＣＳサーバ１２０、イメージャー１３０と接続する際に、共通システム設計テーブル１０１ａに記憶された情報を用いて、ＨＩＳ／ＲＩＳサーバ１１０、ＰＡＣＳサーバ１２０、イメージャー１３０との間の通信や接続状態の判定等を行い、またＨＩＳ／ＲＩＳサーバ１１０、ＰＡＣＳサーバ１２０、イメージャー１３０に対し通信回線オープン要求を送出し、この通信回線オープン要求に対する応答から接続先ごとにサポートするＤＩＣＯＭサービスと転送構文とを判断して固有システム設計テーブル１０１ｂに記憶するようにしている。【選択図】      図１
2006285376.tif 000002
【特許請求の範囲】
【請求項１】
それぞれ医用通信プロトコルで規定される医用サービス支援機能を備えた複数の医用端末に対し通信ネットワークを介して接続可能で、前記複数の医用端末の中から任意の医用端末の医用サービスを制御するために必要なパラメータ情報を選択的に通信処理部にセットされ、当該通信処理部にセットされたパラメータ情報に基づいて選択した医用サービスを制御可能な医用診断装置であって、
前記複数の医用端末に対し接続を行う際に、前記複数の医用端末に対し前記医用サービスを問い合わせるために必要な前記医用通信プロトコル規定の制御情報の通信を前記通信ネットワークを介して行う制御情報通信手段と、
この制御情報通信手段により通信される制御情報に基づいて、前記複数の医用端末それぞれの医用サービスに対応するパラメータ情報を特定するパラメータ特定手段と、
このパラメータ特定手段によりパラメータ情報が特定された場合に、必要に応じて当該パラメータ情報を前記通信処理部にセットする制御手段とを具備したことを特徴とする医用診断装置。
【請求項２】
前記複数の医用端末それぞれを通信ネットワーク上で識別するための識別情報を記憶する記憶手段をさらに備え、
前記制御情報通信手段は、前記記憶手段に記憶された前記複数の医用端末それぞれの識別情報に基づいて、医用端末ごとに通信状態の確認を行って、前記医用通信プロトコルで規定される通信回線オープン要求を送出し、
前記パラメータ特定手段は、前記通信回線オープン要求に対する応答から医用端末ごとに支援する医用サービスを示す情報と当該医用サービスの詳細を示す転送構文を前記パラメータ情報として判断することを特徴とする請求項１記載の医用診断装置。
【請求項３】
前記医用通信プロトコルがＤＩＣＯＭ（Digital Image and Communications in Medicine）通信プロトコルであるとき、
前記パラメータ特定手段は、前記制御情報通信手段により通信される制御情報に基づいて、ＤＩＣＯＭ  Ｖｅｒｉｆｉｃａｔｉｏｎサービス、ＤＩＣＯＭ  Ｓｔｏｒａｇｅサービス、ＤＩＣＯＭ  Ｓｔｏｒａｇｅ  Ｃｏｍｍｉｔｍｅｎｔサービス、ＤＩＣＯＭ  Ｑｕｅｒｙ  ａｎｄ  Ｒｅｔｒｉｅｖｅサービス、ＤＩＣＯＭ  Ｐｒｉｎｔサービス、ＤＩＣＯＭ  ＭＷＭサービス、ＤＩＣＯＭ  ＭＰＰＳサービスのうち少なくとも１つに対応するパラメータ情報を特定することを特徴とする請求項１記載の医用診断装置。
【請求項４】
前記制御情報通信手段は、前記制御情報の通信結果をユーザに報知することを特徴とする請求項１記載の医用診断装置。
【請求項５】
前記制御手段は、
前記パラメータ特定手段により特定されたパラメータ情報を記録媒体に記録する記録手段と、
前記記録媒体上のパラメータ情報を前記医用サービス別に管理し、要求される医用サービスに応じて選択的にパラメータ情報を読み出して前記通信処理部にセットする設定手段とを備えたことを特徴とする請求項１記載の医用診断装置。
【請求項６】
前記記録手段は、前記パラメータ特定手段により特定された医用端末ごとのパラメータ情報をユーザに報知し、この報知に対しユーザが記録指示を入力した場合に該当する医用端末ごとのパラメータ情報を前記記録媒体に記録することを特徴とする請求項５記載の医用診断装置。
【請求項７】
前記制御情報通信手段は、複数の医用端末に対し予め設定される条件に従って順に前記制御情報の通信を行うことを特徴とする請求項１記載の医用診断装置。
【請求項８】
それぞれ医用通信プロトコルで規定される医用サービス支援機能を備えた複数の医用端末と、これら医用端末に対し通信ネットワークを介して接続可能で、前記複数の医用端末の中から任意の医用端末の医用サービスを制御するために必要なパラメータ情報を選択的に通信処理部にセットされ、当該通信処理部にセットされたパラメータ情報に基づいて選択した医用サービスを制御可能な医用診断装置と備えた医用ネットワークシステムであって、
前記医用診断装置と前記複数の医用端末との接続を行う際に、前記医用診断装置と前記複数の医用端末との間で前記通信ネットワークを介して前記複数の医用端末それぞれが支援する前記医用サービスを問い合わせるために必要な前記医用通信プロトコル規定の制御情報の通信を行う制御情報通信手段と、
この制御情報通信手段により通信される制御情報に基づいて、前記複数の医用端末それぞれの医用サービスに対応するパラメータ情報を特定するパラメータ特定手段と、
このパラメータ特定手段によりパラメータ情報が特定された場合に、必要に応じて当該パラメータ情報を前記医用診断装置の通信処理部にセットする制御手段とを具備したことを特徴とを具備したことを特徴とする医用ネットワークシステム。
【請求項９】
それぞれ医用通信プロトコルで規定される医用サービス支援機能を備えた複数の医用端末に対し通信ネットワークを介して接続可能で、前記複数の医用端末の中から任意の医用端末の医用サービスを制御するために必要なパラメータ情報を選択的に通信処理部にセットされ、当該通信処理部にセットされたパラメータ情報に基づいて選択した医用サービスを制御可能な医用診断装置で使用される制御方法であって、
前記複数の医用端末に対し接続を行う際に、前記複数の医用端末に対し前記医用サービスを問い合わせるために必要な前記医用通信プロトコル規定の制御情報の通信を前記通信ネットワークを介して行い、
通信される制御情報に基づいて、前記複数の医用端末それぞれの医用サービスに対応するパラメータ情報を特定し、
パラメータ情報が特定された場合に、必要に応じて当該パラメータ情報を前記通信処理部にセットすることを特徴とする医用診断装置の制御方法。
【発明の詳細な説明】
【技術分野】
【０００１】
この発明は、各種医用機器との間をネットワークを介して接続可能で、このネットワークを介して各種医用機器が支援するサービスを制御可能な医用診断装置と、この医用診断装置を使用する医用ネットワークシステム及び医用診断装置の制御方法に関する。
【背景技術】
【０００２】
近年、超音波診断装置と各種医用機器との間を病院ネットワークを介して接続し、この超音波診断装置により病院ネットワークを使用して各種医用機器が支援するサービスを制御するシステムがある。
【０００３】
この種のシステムは、例えば超音波診断装置と各種医用機器との間にＴＣＰ／ＩＰ（Transmission Control Protocol ／Internet Protocol）によりコネクションを開設したのち、ＤＩＣＯＭ（Digital Image and Communications in Medicine）通信プロトコルに従い通信を行っている。これにより、接続機器確認、画像転送、画像転送保管の確認、イメージャー出力、予約検査情報発行、検査状態通知が他社装置同士で効率良く行えることが期待されている。
【０００４】
ところで、上記システムでは、超音波診断装置に対し各種医用機器との間でＤＩＣＯＭ通信を行うために必要な各種パラメータの設定を行う必要があり、これら設定作業の大半を、超音波診断装置の操作者による人為的作業によって行っている。このため、設定時に多くの手間と時間がかかると共に、設定ミスなどを起こし易くなり、設定上の信頼性の低下を招いている。また、超音波診断装置の操作者にＴＣＰ／ＩＰ通信、ＤＩＣＯＭ通信固有の知識を必要とするなど操作者の負担が大きかった。
【０００５】
なお、従来では、診断画像データの取得等の各種医用機器に対するサービス制御の一部を汎用のパーソナル・コンピュータを用いて実行するシステムが提案されている（例えば、特許文献１）。この場合、ＤＩＣＯＭ通信プロトコルを用いなくても、パーソナル・コンピュータにより診断画像データを取得して参照することができる。
【特許文献１】特開平１１−２３９１６５号公報。
【発明の開示】
【発明が解決しようとする課題】
【０００６】
しかしながら、上記システムでは、ＤＩＣＯＭ通信系と非ＤＩＣＯＭ通信系とで別々の通信インフラを敷設する必要がある。このため、システムの構成が大掛かりなものになるとともに、ユーザの投資負担が大きくなる。
【０００７】
そこで、この発明の目的は、医用通信プロトコルに従った通信やサービス制御を行う際に、通信やサービス制御に必要な情報設定を人手を要さずに短時間で正確に実行できるようにし、これにより設定上の信頼性の向上を図るとともに、操作者の負担を大幅に軽減し得る医用診断装置、医用ネットワークシステム及び医用診断装置の制御方法を提供することにある。
【課題を解決するための手段】
【０００８】
この発明は、上記目的を達成するために、以下のように構成される。  
それぞれ医用通信プロトコルで規定される医用サービス支援機能を備えた複数の医用端末に対し通信ネットワークを介して接続可能で、複数の医用端末の中から任意の医用端末の医用サービスを制御するために必要なパラメータ情報を選択的に通信処理部にセットされ、当該通信処理部にセットされたパラメータ情報に基づいて選択した医用サービスを制御可能な医用診断装置であって、複数の医用端末に対し接続を行う際に、複数の医用端末に対し医用サービスを問い合わせるために必要な医用通信プロトコル規定の制御情報の通信を通信ネットワークを介して行う制御情報通信手段と、この制御情報通信手段により通信される制御情報に基づいて、複数の医用端末それぞれの医用サービスに対応するパラメータ情報を特定するパラメータ特定手段と、このパラメータ特定手段によりパラメータ情報が特定された場合に、必要に応じて当該パラメータ情報を通信処理部にセットする制御手段とを備えるようにしたものである。
【０００９】
この構成によれば、複数の医用端末と接続する際に、複数の医用端末が支援する医用サービスを問い合わせるために必要な制御情報が複数の医用端末との間で授受され、この制御情報の授受結果に基づいて複数の医用端末それぞれが支援する医用サービスに対応するパラメータ情報が決定され、この決定されたパラメータ情報が必要に応じて通信処理部にセットされる。
【００１０】
従って、医用サービス制御に必要なパラメータ情報設定までの工程が人手を要することなく通信ネットワークを介して自動的に行われることになり、これにより医用診断装置の操作者にとっては通信やサービス制御に必要な情報設定を短時間の内に正確に実行できるようになり、操作上の負担が大幅に軽減される。
【００１１】
複数の医用端末それぞれを通信ネットワーク上で識別するための識別情報を記憶する記憶手段をさらに備え、制御情報通信手段は、記憶手段に記憶された複数の医用端末それぞれの識別情報に基づいて、医用端末ごとに通信状態の確認を行って、医用通信プロトコルで規定される通信回線オープン要求を送出し、制御手段は、通信回線オープン要求に対する応答から医用端末ごとに支援する医用サービスと当該医用サービスの詳細を示す転送構文をパラメータ情報として判断することを特徴とする。
【００１２】
この構成によれば、記憶媒体に記憶された医用端末それぞれの識別情報を用いて、医用診断装置と複数の医用端末との間の通信や接続状態の判定等を行い、しかも医用端末ごとの医用サービスを示す情報と転送構文とを判定するようにしている。このため、簡単な手順で医用端末ごとの医用サービスに対応するパラメータ情報設定を行うことができる。
【００１３】
制御情報通信手段は、制御情報の通信結果をユーザに報知することを特徴とする。  
この構成によれば、ユーザ、つまり医用診断装置の操作者は複数の医用端末との通信ができたか否かを確認することができる。そして、通信ができない場合に、ユーザはその原因を把握することができる。
【００１４】
制御手段は、パラメータ特定手段により特定されたパラメータ情報を記録媒体に記録する記録手段と、記録媒体上のパラメータ情報を医用サービス別に管理し、要求される医用サービスに応じて選択的にパラメータ情報を読み出して通信処理部にセットする設定手段とを備えたことを特徴とする。  
この構成によれば、記録媒体に記録された複数のパラメータ情報を医用サービス別に管理することができるので、希望の医用サービスを制御する際のパラメータ情報を特定でき、これによりサービス選択が容易となる。また、記録媒体上のパラメータ情報を利用すれば、医用サービス制御を実行する際に、その都度医用サービスの問い合わせを行う必要がなく即座に医用サービス制御を実行することができる。
【００１５】
記録手段は、パラメータ特定手段により特定された医用端末ごとのパラメータ情報をユーザに報知し、この報知に対しユーザが記録指示を入力した場合に該当する医用端末ごとのパラメータ情報を記録媒体に記録することを特徴とする。
【００１６】
この構成によれば、同一サービスを支援する医用端末が多数ある場合に、医用端末ごとにユーザが自身で医用サービス制御のための情報設定が必要か否かを判断して指示することができ、これにより真に必要な医用サービス制御のための情報設定のみを実行することができる。
【００１７】
制御情報通信手段は、複数の医用端末に対し予め設定される条件に従って順に制御情報の通信を行うことを特徴とする。  
この構成によれば、ユーザが接続先となる医用端末を指定する操作を行なうことなく、通信ネットワークに接続される全医用端末に対し制御情報の通信が自動的に行なわれる。
【発明の効果】
【００１８】
以上詳述したようにこの発明によれば、医用通信プロトコルに従った通信やサービス制御を行う際に、通信やサービス制御に必要な情報設定を人手を要さずに短時間で正確に実行できるようにし、これにより設定上の信頼性の向上を図るとともに、操作者の負担を大幅に軽減し得る医用診断装置、医用ネットワークシステム及び医用診断装置の制御方法を提供することができる。
【発明を実施するための最良の形態】
【００１９】
以下、この発明の実施形態について図面を参照して詳細に説明する。  
図１は、この発明に係わる医用ネットワークシステムの一実施形態を示す概略構成図であり、図中１００は医用診断装置としての超音波診断装置、１１０は医用端末としてのＨＩＳ／ＲＩＳサーバ、１２０は医用端末としてのＰＡＣＳサーバ、１３０は医用端末としてのイメージャーをそれぞれ示している。
【００２０】
超音波診断装置１００は、病院等の施設内に構築されたコンピュータ・ネットワークとしての病院ネットワーク１４０に接続され、この病院ネットワーク１４０からさらにＨＩＳ／ＲＩＳサーバ１１０、ＰＡＣＳサーバ１２０、イメージャー１３０に接続される。
【００２１】
これら超音波診断装置１００、ＨＩＳ／ＲＩＳサーバ１１０、ＰＡＣＳサーバ１２０、イメージャー１３０は、いずれもＤＩＣＯＭ通信アプリケーションを搭載している。
【００２２】
ＨＩＳ／ＲＩＳサーバ１１０は、予約検査情報発行、検査状態通知受付を行う。ＰＡＣＳサーバ１２０は、画像転送／画像保管確認／検査検索・受信を行う。イメージャー１３０は、画像フィルム出力を行う。
【００２３】
ところで、上記超音波診断装置１００は、超音波を用いて被検体の診断処理を行う機能を基本機能とし、さらにＴＣＰ／ＩＰ情報通信機能と、ＤＩＣＯＭ情報通信機能と、サービス決定機能と、パラメータ設定機能とを備えている。さらに、上記超音波診断装置１００は、記憶部１０１を接続しており、この記憶部１０１には共通システム設計テーブル１０１ａと、固有システム設計テーブル１０１ｂとが設けられている。
【００２４】
共通システム設計図１０１ａには、図２（ａ）に示すように、ＨＩＳ／ＲＩＳサーバ１１０、ＰＡＣＳサーバ１２０、イメージャー１３０それぞれのＩＰアドレス、ＤＩＣＯＭ通信プロトコルで規定されるＡＥタイトル、ポート番号が記憶されている。
【００２５】
固有システム設計図１０１ｂには、図２（ｂ）に示すように、上記ＡＥタイトルに対応付けて、ＨＩＳ／ＲＩＳサーバ１１０、ＰＡＣＳサーバ１２０、イメージャー１３０それぞれがサポートするサービス内容を示す抽象構文と、サービスの詳細（例えば非圧縮画像、圧縮画像）を示す転送構文とが記憶されている。
【００２６】
ＴＣＰ／ＩＰ情報通信機能は、記憶部１０１内の共通システム設計テーブル１０１ａに従って、ＨＩＳ／ＲＩＳサーバ１１０、ＰＡＣＳサーバ１２０、イメージャー１３０に対し病院ネットワーク１４０を介してＴＣＰ／ＩＰ通信ＰＩＮＧコマンドを予め設定された順序で送出してＨＩＳ／ＲＩＳサーバ１１０、ＰＡＣＳサーバ１２０、イメージャー１３０の接続確認を行う。
【００２７】
ＤＩＣＯＭ情報通信機能は、図３に示すように、上記ＴＣＰ／ＩＰ情報通信機能により接続確認されたＨＩＳ／ＲＩＳサーバ１１０、ＰＡＣＳサーバ１２０、イメージャー１３０に対し病院ネットワーク１４０を介して全ＤＩＣＯＭサービスについての抽象構文と転送構文との組み合わせから成る通信回線オープン要求を予め設定された順序で送出する。
【００２８】
サービス決定機能は、上記通信回線オープン要求に対するＨＩＳ／ＲＩＳサーバ１１０、ＰＡＣＳサーバ１２０、イメージャー１３０からの応答に従って、各接続先がサポートするホスト名、ＩＰアドレス、ＡＥタイトル、ポート番号、抽象構文、転送構文を判断する。
【００２９】
パラメータ設定機能は、上記判断された各接続先がサポートするホスト名、ＩＰアドレス、ＡＥタイトル、ポート番号、抽象構文、転送構文をモニタ１０２に表示させる。そして、ユーザにからの記録指示入力に応じて該当するＡＥタイトル、抽象構文、転送構文を固有システム設計テーブル１０１ｂに記憶し管理する。
【００３０】
以後、超音波診断装置１００のユーザが、固有システム設計テーブル１０１ｂに記憶される接続先ごとのＡＥタイトル、抽象構文、転送構文に基づいて、サービス制御を要求する操作を行うことで、該当するホスト名、ＩＰアドレス、ＡＥタイトル、ポート番号、抽象構文、転送構文がパラメータ情報として超音波診断装置１００の通信処理部（図示せず）にセットされ、このパラメータ情報に基づいて、ＨＩＳ／ＲＩＳサーバ１１０に対する予約検査情報発行制御（ＤＩＣＯＭ  ＭＷＭサービス制御）や、検査状態通知制御（ＤＩＣＯＭ  ＭＰＰＳサービス制御）、画像転送制御（ＤＩＣＯＭ  Ｓｔｒａｇｅサービス制御）、ＰＡＣＳサーバ１２０に保管された画像の確認を行う制御（ＤＩＣＯＭ  Ｓｔｒａｇｅ  Ｃｏｍｍｉｔｍｅｎｔサービス制御）、ＰＡＣＳサーバ１２０に対する検査検索・受信を行う制御、イメージャー１３０に画像フィルムを出力させる制御（ＤＩＣＯＭ  Ｐｒｉｎｔサービス制御）等を実行する。
【００３１】
次に、以上のように構成されたシステムの動作を説明する。  
図４は、ＤＩＣＯＭ情報設定を行う際の超音波診断装置１００の制御処理を示すフローチャートである。
【００３２】
超音波診断装置１００においてユーザが、ＤＩＣＯＭサービスを利用するための情報設定を要求する操作を行ったとする。そうすると、超音波診断装置１００はＤＩＣＯＭ情報の自動設定を開始し（ステップＳＴ４ａ）、記憶部１０１の共通システム設計テーブル１０１ａ内にＨＩＳ／ＲＩＳサーバ１１０、ＰＡＣＳサーバ１２０、イメージャー１３０それぞれについての設定項目があるか否かの判断を行う（ステップＳＴ４ｂ）。
【００３３】
ここで、設定項目があるならば（項目あり）、超音波診断装置１００は共通システム設計テーブル１０１ａに従って、ＨＩＳ／ＲＩＳサーバ１１０、ＰＡＣＳサーバ１２０、イメージャー１３０に対し病院ネットワーク１４０を介してＴＣＰ／ＩＰ通信ＰＩＮＧコマンドを送出してＨＩＳ／ＲＩＳサーバ１１０、ＰＡＣＳサーバ１２０、イメージャー１３０の接続確認を行う（ステップＳＴ４ｃ）。
【００３４】
そして、接続エラーとなった場合に（接続ＮＧ）、超音波診断装置１００は接続エラーの旨のメッセージと該当するホスト名、ＩＰアドレスをモニタ１０２に供給して表示させる（ステップＳＴ４ｄ）。従って、この表示によりユーザはエラーが発生した旨を知ることができる。
【００３５】
一方、接続がＯＫの場合には、超音波診断装置１００は接続確認されたＨＩＳ／ＲＩＳサーバ１１０、ＰＡＣＳサーバ１２０、イメージャー１３０に対し病院ネットワーク１４０を介して全ＤＩＣＯＭサービスについての抽象構文と転送構文との組み合わせから成る通信回線オープン要求を送出し、この通信回線オープン要求に対し返送される応答から各接続先がサポートするホスト名、ＩＰアドレス、ＡＥタイトル、ポート番号、抽象構文、転送構文を判断する（ステップＳＴ４ｅ）。ここで、一定時間経過しても応答が返送されなかったり、接続ＮＧとなった場合には、超音波診断装置１００は上記ステップＳＴ４ｄの処理に移行する。
【００３６】
一方、判断したホスト名、ＩＰアドレス、ＡＥタイトル、ポート番号、抽象構文、転送構文が正当なものである場合（ＯＫ）、超音波診断装置１００は、図５に示すように、判断した各接続先ごとのホスト名、ＩＰアドレス、ＡＥタイトル、ポート番号、抽象構文、転送構文をモニタ１０２に表示させる（ステップＳＴ４ｆ）。従って、この表示によりユーザは病院ネットワーク１４０に接続される接続先ごとのホスト名、ＩＰアドレス、ＡＥタイトル、ポート番号、抽象構文、転送構文をチェックすることができる。
【００３７】
この状態でユーザが、固有システム設計テーブル１０１ｂに記憶すべき接続先のホスト名、ＩＰアドレス、ＡＥタイトル、ポート番号、抽象構文、転送構文を選択指定すると、超音波診断装置１００は、選択指定された接続先ごとのＡＥタイトル、抽象構文、転送構文を固有システム設計テーブル１０１ｂに記憶する（ステップＳＴ４ｇ）。以後、超音波診断装置１００は、固有システム設計テーブル１０１ｂ内の接続先ごとのＡＥタイトル、抽象構文、転送構文を管理し、要求されるサービスに応じて、該当する接続先のホスト名、ＩＰアドレス、ＡＥタイトル、ポート番号、抽象構文、転送構文をパラメータ情報として通信処理部にセットし、サービス制御を実行する。
【００３８】
かくして、超音波診断装置１００のユーザは、超音波診断装置１００を用いて固有システム設計テーブル１０１ｂに記憶された接続先ごとのＡＥタイトル、抽象構文、転送構文に基づいて、各接続先がサポートする任意のＤＩＣＯＭサービスを利用することができる。例えば、ＤＩＣＯＭ  ＭＷＭサービスを指定すれば、ＨＩＳ／ＲＩＳサーバ１１０にて予約検査情報発行が行われ、ＤＩＣＯＭ  Ｐｒｉｎｔサービスを指定すれば、イメージャー１３０にて画像フィルムが出力される。
【００３９】
以上のように上記実施形態では、超音波診断装置１００において、病院ネットワーク１４０を介してＨＩＳ／ＲＩＳサーバ１１０、ＰＡＣＳサーバ１２０、イメージャー１３０と接続する際に、記憶部１０１の共通システム設計テーブル１０１ａに記憶された情報を用いて、ＨＩＳ／ＲＩＳサーバ１１０、ＰＡＣＳサーバ１２０、イメージャー１３０との間の通信や接続状態の判定等を行い、またＨＩＳ／ＲＩＳサーバ１１０、ＰＡＣＳサーバ１２０、イメージャー１３０に対しサポートするＤＩＣＯＭサービスを問い合わせるための通信回線オープン要求を送出し、この通信回線オープン要求に対する応答から接続先ごとにサポートするＤＩＣＯＭサービスと転送構文とを判断して固有システム設計テーブル１０１ｂに記憶するようにしている。
【００４０】
従って、ＤＩＣＯＭサービスを利用するために必要な情報設定までの工程が人手を要することなく病院ネットワーク１４０を介して自動的に行われることになり、これにより超音波診断装置１００のユーザにとっては通信やサービス制御に必要な情報設定を短時間の内に正確に実行できるようになり、操作上の負担が大幅に軽減される。また、簡単な手順で接続先ごとに適切なＤＩＣＯＭサービスの判定を行うことができ、これによりサービス制御上の信頼性をさらに高めることができる。
【００４１】
また、上記実施形態では、ＴＣＰ／ＩＰ通信ＰＩＮＧコマンドの通信結果や通信回線オープン要求といったＤＩＣＯＭ情報の通信結果をモニタ１０２に表示するようにしているので、超音波診断装置１００のユーザはＨＩＳ／ＲＩＳサーバ１１０、ＰＡＣＳサーバ１２０、イメージャー１３０との通信ができたか否かを確認することができる。そして、通信ができない場合に、ユーザはＨＩＳ／ＲＩＳサーバ１１０、ＰＡＣＳサーバ１２０、イメージャー１３０がＤＩＣＯＭ通信プロトコルに対応していない旨や、ＨＩＳ／ＲＩＳサーバ１１０、ＰＡＣＳサーバ１２０、イメージャー１３０に障害が発生した等の原因を把握することができる。
【００４２】
さらに、上記実施形態では、ＨＩＳ／ＲＩＳサーバ１１０、ＰＡＣＳサーバ１２０、イメージャー１３０からの応答による接続先ごとのホスト名、ＩＰアドレス、ＡＥタイトル、ポート番号、抽象構文、転送構文をモニタ１０２に表示し、ユーザの指示を待って固有システム設計テーブル１０１ｂに記憶するようにしている。このため、病院ネットワーク１４０上にＨＩＳ／ＲＩＳサーバ１１０と同一サービスをサポートする医用端末が多数ある場合に、ユーザはＨＩＳ／ＲＩＳサーバ１１０を選択指定して固有システム設計テーブル１０１ｂに記憶することができる。
【００４３】
なお、この発明は上記実施形態に限定されるものではない。例えば、ＨＩＳ／ＲＩＳサーバ１１０、ＰＡＣＳサーバ１２０、イメージャー１３０に、ＤＩＣＯＭ  Ｖｅｒｉｆｉｃａｔｉｏｎサービスや、ＤＩＣＯＭ  Ｑｕｅｒｙ  ａｎｄ  Ｒｅｔｒｉｅｖｅサービスをサポートさせるものであってもよい。例えば、ＤＩＣＯＭ  Ｖｅｒｉｆｉｃａｔｉｏｎサービスを選択指定すれば、装置の起動状態の通知が行われ、ＤＩＣＯＭ  Ｑｕｅｒｙ  ａｎｄ  Ｒｅｔｒｉｅｖｅサービスを選択指定すれば、サービスの質等の通知が行われる。また、ＤＩＣＯＭ  Ｖｅｒｉｆｉｃａｔｉｏｎサービス、ＤＩＣＯＭ  Ｓｔｏｒａｇｅサービス、ＤＩＣＯＭ  Ｓｔｏｒａｇｅ  Ｃｏｍｍｉｔｍｅｎｔサービス、ＤＩＣＯＭ  Ｑｕｅｒｙ  ａｎｄ  Ｒｅｔｒｉｅｖｅサービス、ＤＩＣＯＭ  Ｐｒｉｎｔサービス、ＤＩＣＯＭ  ＭＷＭサービス、ＤＩＣＯＭ  ＭＰＰＳサービス以外のＤＩＣＯＭサービスであっても同様に実施できる。
【００４４】
また、上記実施形態では、接続先ごとのホスト名、ＩＰアドレス、ＡＥタイトル、ポート番号、抽象構文、転送構文を一旦モニタ１０２に表示し、ユーザが記録指示を入力した場合に、接続先ごとのＡＥタイトル、抽象構文、転送構文を固有システム設計テーブル１０１ｂに記憶するようにした。
【００４５】
しかし、これに限定されるものではなく、接続先ごとのホスト名、ＩＰアドレス、ＡＥタイトル、ポート番号、抽象構文、転送構文が得られた時点で、接続先ごとのＡＥタイトル、抽象構文、転送構文を固有システム設計テーブル１０１ｂに記憶するようにしてもよい。
【００４６】
以上、本発明を実施形態に基づき説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４７】
【図１】この発明に係わる医用ネットワークシステムの一実施形態を示す概略構成図。
【図２】図１に示した共通システム設計テーブル及び固有システム設計テーブルの記憶内容の一例を示す図。
【図３】同実施形態における超音波診断装置と各接続先との間の通信動作を説明するシーケンス図。
【図４】同実施形態における超音波診断装置の制御処理を説明するために示すフローチャート。
【図５】同実施形態において、超音波診断装置の表示例を説明するために示す図。
【符号の説明】
【００４８】
１００…超音波診断装置、１０１…記憶部、１０１ａ…共通システム設計テーブル、１０１ｂ…固有システム設計テーブル、１０２…モニタ、１１０…ＨＩＳ／ＲＩＳサーバ、１２０…ＰＡＣＳサーバ、１３０…イメージャー、１４０…病院ネットワーク。
【図１】
2006285376.tif 000003
【図２】
2006285376.tif 000004
【図３】
2006285376.tif 000005
【図４】
2006285376.tif 000006
【図５】
2006285376.tif 000007